(57)【要約】【課題】簡易な構成で、電線を架空線の上側を通過させることが可能な電線敷設用工具を提供する。【解決手段】電線敷設用工具１は、架空線２が係合する切欠き部３ａが形成される回転体３と、回転体３を回転可能に保持する保持体４と、引き込み用の電線が繋がれるロープ１８が連結され回転体３の外周端に沿って摺動可能な摺動体５とを備え、切欠き部３ａに係合した架空線２によって回転体３が押されて一方向へ回転すると、架空線２が保持体４と摺動体５との間を通過するように構成されている。摺動体５には、摺動体５の一方向への摺動を規制する摺動規制体６が取り付けられ、摺動規制体６の一端側は、摺動体５に回動可能に取り付けられ、摺動規制体６の他端側は、保持体４に当接している。回転体３を回転させた後の架空線２によって摺動規制体６が押されて、その一端側を支点に回動すると、摺動規制体６の他端側と保持体４との間を架空線２が通過する。【選択図】図１
2013143834.tif 000002
【特許請求の範囲】
【請求項１】
電線を架空線の上側を通過させて敷設するための電線敷設用工具において、
前記架空線が係合する切欠き部が径方向の内側へ窪むように形成される回転体と、前記回転体を回転可能に保持する保持体と、前記架空線の上側を前記電線を通過させるための紐状部材または前記電線が連結され、前記回転体に対して前記回転体の外周端に沿って摺動可能な摺動体とを備えるとともに、前記切欠き部に係合した前記架空線によって前記回転体が押されて一方向へ回転すると、前記架空線が前記保持体と前記摺動体との間を通過するように構成され、
前記摺動体には、前記保持体に当接して前記架空線の通過方向における下流側への前記摺動体の摺動を規制する摺動規制体が取り付けられ、
前記摺動規制体の一端側は、前記摺動体の、前記架空線の通過方向における下流側に回動可能に取り付けられ、前記摺動規制体の他端側は、前記保持体に当接しており、
前記回転体を回転させた後の前記架空線によって前記摺動規制体が押されて、その一端側を支点に回動すると、前記摺動規制体の他端側と前記保持体との間を前記架空線が通過することを特徴とする電線敷設用工具。
【請求項２】
前記架空線の通過方向における上流側から前記切欠き部に前記架空線が係合可能な基準位置に向かって前記回転体を吸引するとともに前記基準位置で前記回転体を保持するための磁気保持機構を備え、
前記磁気保持機構は、前記回転体に固定される永久磁石と前記保持体に固定される永久磁石とよって構成されていること、あるいは、前記回転体または前記保持体のいずれか一方に固定される永久磁石と前記回転体または前記保持体のいずれか他方に固定される磁性部材とによって構成されていることを特徴とする請求項１記載の電線敷設用工具。
【請求項３】
前記切欠き部は、前記回転体の回転中心に対して１２０°ピッチで前記回転体の３箇所に形成され、
前記永久磁石、または、前記永久磁石および前記磁性部材は、前記回転体の回転中心に対して１２０°ピッチで前記回転体および前記保持体の３箇所に固定されていることを特徴とする請求項２記載の電線敷設用工具。
【請求項４】
前記保持体は、略等脚台形状に形成され所定の隙間を介して略平行に配置される平板状の２枚の平板部と、２枚の前記平板部の間に配置され前記回転体を回転可能に支持する軸受部とを備え、
前記回転体は、２枚の前記平板部の間に配置され、
前記回転体の上端側は、前記保持体よりも上側に突出しており、
前記摺動体は、前記保持体の上側に配置され、
前記摺動規制体の他端側は、前記保持体の上端側に当接していることを特徴とする請求項１から３のいずれかに記載の電線敷設用工具。
【発明の詳細な説明】
【技術分野】
【０００１】
本発明は、電線を架空線の上側を通過させて敷設するための電線敷設用工具に関する。なお、本明細書における「電線」には、電力を供給するための電線の他、電話線やケーブルテレビ用のケーブル等の各種の電線が含まれるものとする。
【背景技術】
【０００２】
従来、地上からの操作によって、引き込み用の電線を、電柱に架け渡された電線（架空線）の上側を通過させて敷設するための工具が知られている（たとえば、特許文献１参照）。特許文献１に記載の工具は、略半円形に形成された回転体と、回転体を保持する保持体と、回転体の外周端に沿って摺動可能な摺動体とを備えている。保持体は、所定の間隔で配置される２枚の板体を備えている。２枚の板体の間には、軸が配置されており、回転体は、この軸に回転可能に支持されている。また、２枚の板体には、保持体の両側へ広がるアームが形成されており、２本のアームの先端には、水平ガイド体が固定されている。
【０００３】
また、特許文献１に記載の工具では、回転体に、架空線が係合する切欠き部が形成されている。回転体の外周端には、レールが形成され、摺動体には、このレールに係合する溝が形成されており、摺動体は、レールに沿って回転体の回転中心を中心にして回動可能となっている。また、摺動体には、ロープ止めの一端が取り付けられている。ロープ止めには、ロープを止めるフックが取り付けられている。ロープ止めの他端は、一方の水平ガイド体の上面に当接可能となっている。また、回転体には、渦巻きバネ（ぜんまいバネ）の一端が固定され、保持体には、渦巻きバネの他端が固定されている。回転体は、渦巻きバネの付勢力によって、その回転方向の一方へ付勢されている。板体には、回転方向の一方への回転体の回転を規制するストッパが固定されている。渦巻きバネの付勢力で回転体がストッパに当接しているときに、回転体は、その切欠き部に架空線が係合可能な所定の基準位置にある。
【０００４】
特許文献１に記載の工具を使用して電線を敷設する際には、まず、フックにロープの一端を取り付けてロープを引っ張る。この状態では、ロープ止めがロープと一緒に引っ張られており、ロープ止めの他端は、一方の水平ガイド体の上面に当接している。また、回転体は、渦巻きバネの付勢力でストッパに当接しており、切欠き部に架空線が係合可能な基準位置にある。この状態で、作業員が架空線を他方の水平ガイド体に載せて、工具を横にずらすと、回転体の切欠き部に架空線が係合する。その後、さらに工具を横へずらすと、回転体は、架空線に押されて渦巻きバネの付勢力に抗して回転する。このとき、ロープ止めの他端が一方の水平ガイド体の上面に当接しているため、摺動体は回動しない。
【０００５】
その後、さらに工具を横にずらして、切欠き部が一方の水平ガイド体の横までくると、架空線は切欠き部から外れ、一方の水平ガイド体に載り移る。架空線が一方の水平ガイド体に載り移ると、回転体は、渦巻きバネの付勢力でストッパに当接する基準位置まで逆方向へ回転する。その後、さらに工具を横へずらすと、架空線がロープ止めを押す。架空線がロープ止めを押すと、ロープ止めと一緒に摺動体が回転体のレールに沿って回動して、一方の水平ガイド体とロープ止めとの間を架空線が通過する。一方の水平ガイド体とロープ止めとの間を通過した架空線は、ロープの下側に入る。ロープの他端には、引き込み用の電線が取り付けられており、ロープを引っ張ることで、引き込み用の電線が架空線の上側を通過する。
【先行技術文献】
【特許文献】
【０００６】
【特許文献１】特許第４４８５３１８号公報
【発明の概要】
【発明が解決しようとする課題】
【０００７】
上述のように、特許文献１に記載の工具を使用して架空線の上側を引き込み用の電線を通過させる際には、ロープ止めと一緒に摺動体を、回転体の外周端に形成されるレールに沿って回動させる必要がある。しかしながら、この工具では、レールと摺動体との摺動抵抗が大きいため、ロープ止めが架空線に押されたときに、大きなモーメントが摺動体に作用しないと摺動体が回動しない。したがって、この工具では、ロープ止めと架空線との接触位置と、回転体の回転中心との距離を大きくしたり、ロープ止めの、架空線が接触する部分の形状を工夫したりしないと、電線を架空線の上側を通過させることはできない。
【０００８】
そこで、本発明の課題は、簡易な構成で、電線を架空線の上側を通過させることが可能な電線敷設用工具を提供することにある。
【課題を解決するための手段】
【０００９】
上記の課題を解決するため、本発明の電線敷設用工具は、電線を架空線の上側を通過させて敷設するための電線敷設用工具において、架空線が係合する切欠き部が径方向の内側へ窪むように形成される回転体と、回転体を回転可能に保持する保持体と、架空線の上側を電線を通過させるための紐状部材または電線が連結され、回転体に対して回転体の外周端に沿って摺動可能な摺動体とを備えるとともに、切欠き部に係合した架空線によって回転体が押されて一方向へ回転すると、架空線が保持体と摺動体との間を通過するように構成され、摺動体には、保持体に当接して架空線の通過方向における下流側への摺動体の摺動を規制する摺動規制体が取り付けられ、摺動規制体の一端側は、摺動体の、架空線の通過方向における下流側に回動可能に取り付けられ、摺動規制体の他端側は、保持体に当接しており、回転体を回転させた後の架空線によって摺動規制体が押されて、その一端側を支点に回動すると、摺動規制体の他端側と保持体との間を架空線が通過することを特徴とする。
【００１０】
本発明の電線敷設用工具では、回転体の外周端に沿って摺動可能な摺動体に、架空線の通過方向における下流側への摺動体の摺動を規制する摺動規制体が取り付けられており、摺動規制体の一端側は、摺動体の、架空線の通過方向における下流側に回動可能に取り付けられ、摺動規制体の他端側は、保持体に当接している。また、本発明では、回転体を回転させた後の架空線によって摺動規制体が押されて、その一端側を支点に回動すると、摺動規制体の他端側と保持体との間を架空線が通過する。そのため、本発明では、摺動抵抗の大きな摺動体を回転体に対して回動させなくても、摺動規制体をその一端側を支点にして回動させれば、架空線の上側を電線を通過させるための紐状部材または電線の下側に架空線を入れて、電線を架空線の上側を通過させることが可能になる。すなわち、本発明では、摺動規制体をその一端側を支点にして回動させるといった簡易な構成で、電線を架空線の上側を通過させることが可能になる。
【００１１】
本発明において、電線敷設用工具は、架空線の通過方向における上流側から切欠き部に架空線が係合可能な基準位置に向かって回転体を吸引するとともに基準位置で回転体を保持するための磁気保持機構を備え、磁気保持機構は、回転体に固定される永久磁石と保持体に固定される永久磁石とによって構成されていること、あるいは、回転体または保持体のいずれか一方に固定される永久磁石と回転体または保持体のいずれか他方に固定される磁性部材とによって構成されていることが好ましい。このように構成すると、渦巻きバネを利用して回転体を基準位置に回転させ、かつ、渦巻きバネとストッパとを利用して回転体を基準位置で保持する場合と比較して、電線敷設用工具の構成を簡素化することが可能になる。
【００１２】
なお、特許文献１に記載の工具の場合、渦巻きバネのバネ力をある程度、強くしないと、架空線が通過した後の回転体は、基準位置まで戻らない。一方で、渦巻きバネのバネ力を強くしすぎると、架空線が通過した後の回転体が急激に回転するため、危険である。そのため、特許文献１に記載の工具の場合、渦巻きバネのバネ力の調整が難しくなるが、本発明では、かかる問題は生じない。
【００１３】
本発明において、たとえば、切欠き部は、回転体の回転中心に対して１２０°ピッチで回転体の３箇所に形成され、永久磁石、または、永久磁石および磁性部材は、回転体の回転中心に対して１２０°ピッチで回転体および保持体の３箇所に固定されている。この場合には、基準位置にある回転体が１２０°回転すれば、回転体は次の基準位置へ移動する。したがって、架空線が通過した後、次の基準位置へ移動させるまでの回転体の回転量を小さくすることが可能になり、その結果、永久磁石間、あるいは、永久磁石と磁性部材との間の吸引力が小さくても、基準位置に向かって回転体を吸引することが可能になる。
【００１４】
本発明において、たとえば、保持体は、略等脚台形状に形成され所定の隙間を介して略平行に配置される平板状の２枚の平板部と、２枚の平板部の間に配置され回転体を回転可能に支持する軸受部とを備え、回転体は、２枚の平板部の間に配置され、回転体の上端側は、保持体よりも上側に突出しており、摺動体は、保持体の上側に配置され、摺動規制体の他端側は、保持体の上端側に当接している。この場合には、平板部の上端を利用して、切欠き部へ架空線を案内することが可能になる。
【発明の効果】
【００１５】
以上のように、本発明の電線敷設用工具では、簡易な構成で、電線を架空線の上側を通過させることが可能になる。
【図面の簡単な説明】
【００１６】
【図１】本発明の実施の形態にかかる電線敷設用工具の正面図である。
【図２】（Ａ）は、図１のＥ−Ｅ断面の断面図であり、（Ｂ）は、図１のＦ−Ｆ方向から摺動体および摺動規制体を示す図である。
【図３】図１に示す電線敷設用工具を使用して、引き込み用の電線を架空線の上側を通過させて敷設するときの状態を説明するための図である。
【発明を実施するための形態】
【００１７】
以下、図面を参照しながら、本発明の実施の形態を説明する。
【００１８】
（電線敷設用工具の構成）
図１は、本発明の実施の形態にかかる電線敷設用工具１の正面図である。図２（Ａ）は、図１のＥ−Ｅ断面の断面図であり、図２（Ｂ）は、図１のＦ−Ｆ方向から摺動体５および摺動規制体６を示す図である。
【００１９】
本形態の電線敷設用工具１（以下、「工具１」とする）は、地上からの操作によって、引き込み用の電線を、電柱に架け渡された電線（架空線）２の上側を通過させて敷設するための工具である。この工具１は、回転体３と、回転体３を回転可能に保持する保持体４と、回転体３に対して回転体３の外周端に沿って摺動可能な摺動体５と、摺動体５の一方向への摺動を規制する摺動規制体６と、所定の基準位置で回転体３を保持するための磁気保持機構７とを備えている。なお、以下の説明では、互いに直交する３方向をＸ方向、Ｙ方向およびＺ方向とし、Ｘ方向を「左右方向」、Ｙ方向を「前後方向」、Ｚ方向を「上下方向」とする。また、Ｘ１方向側を「右」側、Ｘ２方向側を「左」側、Ｚ１方向側を「上」側、Ｚ２方向側「下」側とする。
【００２０】
本形態では、上下方向（Ｚ方向）と鉛直方向とが略一致している状態（具体的には、Ｚ１方向側が略上側を向き、Ｚ２方向側が略下側を向いている状態）で、工具１が使用される。また、引き込み用の電線を架空線２の上側を通過させる際に、架空線２は、左側から右側に向かって、摺動体５および摺動規制体６と保持体４との間を通過する。すなわち、本形態では、左側は、架空線２の通過方向の上流側であり、右側は、架空線２の通過方向の下流側である。
【００２１】
保持体４は、平板状に形成される２枚の平板部１０と、回転体３を回転可能に支持する軸受部１１とを備えている。２枚の平板部１０は、前後方向で所定の隙間を介して略平行に配置されている。平板部１０は、略等脚台形状に形成されており、左右方向に平行な上底部１０ａと下底部１０ｂとを備えている。左右方向における上底部１０ａの長さは、下底部１０ｂの長さよりも長くなっている。軸受部１１は、略円柱状に形成される軸部１１ａと軸部１１ａの両端に形成される鍔部１１ｂとを有する鍔付きの略円柱状に形成されている。この軸受部１１は、前後方向を軸方向として、２枚の平板部１０の間に配置されている。また、軸受部１１は、平板部１０の、左右方向における中心位置に、かつ、上端側に固定されている。軸受部１１の軸中心は、回転体３の回転中心Ｃとなっている。
【００２２】
２枚の平板部１０の下端側は、２枚の平板部１０の間に配置される連結板１２とネジとによって連結されている。連結板１２には、操作用の棒１３が固定可能となっている。２枚の平板部１０の上端側の左右両端は、略円柱状に形成される連結部材１４とネジとによって連結されている。また、２枚の平板部１０の上端側の右端には、摺動規制体６を構成する後述の平板部２１が当接する略円柱状のストッパ１５が前後方向の両側へ突出するように固定されている（図２（Ｂ）参照）。
【００２３】
回転体３は、円板状の部材に、その外周端から径方向の内側へ窪む切欠き部３ａを設けることで形成されている。切欠き部３ａは、略Ｕ形状に形成されるとともに、回転体３の回転中心Ｃに対して１２０°ピッチで回転体３の３箇所に形成されている。すなわち、回転体３は、中心に配置される中心部３ｂと、中心部３ｂから１２０°ピッチで径方向の外側へ突出する３個の突出部３ｃとから構成されており、前後方向から見たときの回転体３の形状は略Ｙ形状となっている。中心部３ｂには、図２（Ａ）に示すように、前後方向に貫通する貫通孔３ｄが形成されている。貫通孔３ｄには、軸受部１１の軸部１１ａが挿通されており、中心部３ｂの前後の側面は、前後方向における鍔部１１ｂの内側面と隙間を介して対向している。
【００２４】
上述のように、軸受部１１は、平板部１０の上端側に固定されており、回転体３の上端側は、保持体４よりも上側に突出している。回転体３の外周端側（すなわち、突出部３ｃの外周端側）には、摺動体５を案内するためのガイドレール３ｅが形成されている。前後方向から見たときのガイドレール３ｅの形状は、回転体３の回転中心Ｃを中心とする円弧状となっている。また、突出部３ｃには、前後方向に貫通する略長円形状の貫通孔３ｆが形成されている。
【００２５】
摺動体５は、前後方向から見たときの形状が細長い略四角形状となるブロック状に形成されている。摺動体５には、ガイドレール３ｅに係合するガイド溝５ａが形成されている。前後方向から見たときのガイド溝５ａの形状は、回転体３の回転中心Ｃを中心とする円弧状となっており、その曲率は、ガイドレール３ｅの曲率と略等しくなっている。摺動体５は、保持体４よりも上側へ突出する回転体３の上端側部分に係合しており、保持体４よりも上側に配置されている。また、摺動体５は、ガイドレール３ｅに沿って、回転中心Ｃを中心に回動可能となっている。回転体３の周方向において、摺動体５の幅は、切欠き部３ａの幅よりも広くなっており、回転体３が１回転する間、３個の突出部３ｃの外周端に形成されるガイドレール３ｅの１個または２個は必ずガイド溝５ａに係合している。
【００２６】
摺動体５の右端側には、摺動規制体６を回動可能に支持する固定軸１６が前後方向を軸方向として固定されている。また、摺動体５の右端側には、図１の時計回りの方向（時計方向）における摺動規制体６の回動を規制するためのストッパ１７が固定されている。さらに、摺動体５の右端側には、前後方向に貫通する貫通孔５ｂが形成されている。貫通孔５ｂには、引き込み用の電線が繋がれるロープ１８（あるいは引き込み用の電線）の端部が取り付けられるフック１９が取り付けられている。本形態のロープ１８は、架空線２の上側を電線を通過させるための紐状部材である。
【００２７】
摺動規制体６は、細長い略長方形の平板状に形成される２枚の平板部２１を備えている。２枚の平板部２１は、前後方向で所定の隙間を介して略平行に配置されている。平板部２１の一端側は、固定軸１６に回動可能に支持されている。また、２枚の平板部２１の他端側は、連結部材２２とネジとによって連結されている。図２（Ｂ）に示すように、固定軸１６には、ネジリコイルバネ２３が挿通されている。ネジリコイルバネ２３の一端は、摺動体５の右端側に固定され、ネジリコイルバネ２３の他端は、平板部２１に形成される貫通孔２１ａに係合している。摺動規制体６は、ネジリコイルバネ２３の付勢力によって、固定軸１６を中心として、図１の時計方向へ付勢されている。２枚の平板部２１の隙間は、２枚の平板部１０の隙間よりも広くなっており、前後方向において、平板部２１は、平板部１０よりも外側に配置されている。本形態では、連結部材２２が平板部１０の上底部１０ａに当接し、平板部２１の他端がストッパ１５に当接することで、右方向への摺動体５の摺動（より具体的には、回転中心Ｃを中心とした図１の時計方向への摺動体５の回動）が規制されている。
【００２８】
磁気保持機構７は、回転体３の中心部３ｂに固定される永久磁石２５と、軸受部１１の鍔部１１ｂに固定される永久磁石２６とによって構成されている。永久磁石２５、２６は、小さな円板状に形成されている。永久磁石２５は、中心部３ｂの前面および後面に形成される凹部の中に固定されている。また、永久磁石２５は、回転中心Ｃに対して同心状に、かつ、１２０°ピッチで３箇所に固定されている。永久磁石２６は、２個の鍔部１１ｂの前後方向における内側面に形成される凹部の中に固定されている。また、永久磁石２６は、回転中心Ｃに対して同心状に、かつ、１２０°ピッチで３箇所に固定されている。
【００２９】
本形態では、図１に示すように、工具１の左側から架空線２が切欠き部３ａに係合可能な位置が回転体３の基準位置となっており、回転体３は、１回転する間に３回、基準位置に達する。回転体３が基準位置にあるときに、前後方向において、永久磁石２５と永久磁石２６とが所定の隙間を介して対向している。永久磁石２５の、永久磁石２６との対向面と、永久磁石２６の、永久磁石２５との対向面とは、異なる磁極に着磁されており、永久磁石２５と永久磁石２６との間には、磁気的な吸引力が発生している。永久磁石２５と永久磁石２６との間の磁気的吸引力によって、回転体３は、基準位置で保持される。また、永久磁石２５と永久磁石２６との間の磁気的吸引力によって、基準位置からずれている回転体３は、基準位置に向かって吸引される。なお、永久磁石２５に代えて、磁性材料で形成される磁性部材が回転体３の中心部３ｂに固定されても良い。また、永久磁石２６に代えて、磁性材料で形成される磁性部材が軸受部１１の鍔部１１ｂに固定されても良い。
【００３０】
（電線敷設用工具の使用方法）
図３は、図１に示す電線敷設用工具１を使用して、引き込み用の電線を架空線２の上側を通過させて敷設するときの状態を説明するための図である。
【００３１】
以上のように構成された工具１を使用して、引き込み用の電線を架空線２の上側を通過させて敷設するときには、フック１９に一端側が取り付けられたロープ１８の他端側を引っ張る。この状態では、図３（Ａ）に示すように、連結部材２２が平板部１０の上底部１０ａに当接し、かつ、平板部２１の他端がストッパ１５に当接しており、時計方向へ摺動体５の回動が規制されている。また、この状態では、永久磁石２５、２６間の磁気的吸引力によって、回転体３は、基準位置で保持されている。
【００３２】
その後、図３（Ａ）に示すように、上底部１０ａの左端側に架空線２を載せて、工具１を左方向へ移動させると、回転体３の切欠き部３ａに架空線２が係合する。その後、さらに工具１を左方向へ移動させると、永久磁石２５、２６間の磁気的吸引力に抗して、図３（Ｂ）に示すように、架空線２に回転体３が押されて時計方向へ回転する。このとき、時計方向への摺動体５の回動が規制されているため、摺動体５は回転中心Ｃを中心に回動しない。
【００３３】
その後、さらに工具１を左方向へ移動させると、図３（Ｃ）〜（Ｅ）に示すように、架空線２は切欠き部３ａから外れて、上底部１０ａの右端側に載り移り、摺動規制体６を押す。架空線２に押された摺動規制体６は、ネジリコイルバネ２３の付勢力に抗して、固定軸１６を中心に反時計方向へ回動する。このときには、ネジリコイルバネ２３の付勢力の設定や架空線２の外径等に応じて、図３（Ｄ）に示すように、摺動体５が停止した状態で、摺動規制体６のみが回動することもあれば、図３（Ｅ）に示すように、摺動体５が回転中心Ｃを中心に反時計方向へ回動するとともに摺動規制体６が回動することもある。
【００３４】
このように、上底部１０ａの左端側に架空線２を載せた後、工具１を左方向へ移動させると、架空線２によって回転体３が押されて時計方向へ回転するとともに、回転体３を回転させた後の架空線２によって摺動規制体６が押されて反時計方向へ回動して、架空線２は、摺動体５および摺動規制体６と保持体４との間を通過する。摺動体５および摺動規制体６と保持体４との間を架空線２が通過すると、図３（Ｆ）に示すように、架空線２は、ロープ１８の下側に入る。ロープ１８の他端側には、引き込み用の電線が繋がれているため、ロープ１８の一端側を引っ張ることで、引き込み用の電線が架空線２の上側を通過する。また、架空線２が切欠き部３ａから外れるときには、回転体３は、基準位置から１２０°にわずかに達しない角度まで回転している。そのため、架空線２が切欠き部３ａから外れると、永久磁石２５、２６間の磁気的吸引力によって、回転体３は、次の基準位置に向かって吸引され、次の基準位置で保持される。
【００３５】
（本形態の主な効果）
以上説明したように、本形態では、摺動体５の反時計方向への摺動を規制する摺動規制体６が摺動体５に回動可能に取り付けられており、回転体３を回転させた後の架空線２によって摺動規制体６が押されて反時計方向へ回動すると、架空線２は、摺動規制体６と保持体４との間を通過する。そのため、本形態では、摺動体５を回転体３に対して回動させなくても、摺動規制体６を回動させれば、ロープ１８の下側に架空線２を入れて、引き込み用の電線を架空線２の上側を通過させることができる。すなわち、本形態では、摺動規制体６をその一端側を中心に回動させるといった簡易な構成で、引き込み用の電線を架空線２の上側を通過させることができる。
【００３６】
本形態では、回転体３の中心部３ｂに固定される永久磁石２５と、軸受部１１の鍔部１１ｂに固定される永久磁石２６との間の磁気的吸引力によって、回転体３は、基準位置に向かって吸引され、また、基準位置で保持されている。そのため、従来のように、渦巻きバネを利用して回転体３を基準位置に向かって回転させ、かつ、渦巻きバネとストッパとを利用して回転体３を基準位置で保持する場合と比較して、工具１の構成を簡素化することが可能になる。また、本形態では、従来のように、渦巻きバネのバネ力の調整が難しくなるといった問題も生じない。
【００３７】
本形態では、架空線２が切欠き部３ａから外れるときに、回転体３は、基準位置から１２０°にわずかに達しない角度まで回転している。そのため、本形態では、永久磁石２５、２６間の吸引力が小さくても、永久磁石２５、２６によって、次の基準位置に向かって回転体３を吸引することが可能になる。
【００３８】
（他の実施の形態）
上述した形態では、切欠き部３ａは、回転体３の回転中心Ｃに対して１２０°ピッチで３箇所に形成され、永久磁石２５、２６は、回転中心Ｃに対して１２０°ピッチで３箇所に配置されている。この他にもたとえば、切欠き部３ａが、回転中心Ｃに対して９０°ピッチで４箇所に形成され、永久磁石２５、２６が、回転中心Ｃに対して９０°ピッチで４箇所に配置されても良いし、切欠き部３ａが、回転中心Ｃに対して１８０°ピッチで２箇所に形成され、永久磁石２５、２６が、回転中心Ｃに対して１８０°ピッチで２箇所に配置されても良い。
【００３９】
上述した形態では、回転体３は、永久磁石２５、２６間の磁気的吸引力によって、基準位置に向かって吸引され、また、基準位置で保持されているが、回転体３は、渦巻きバネ等のバネ部材の付勢力によって、基準位置に向かって付勢され、また、基準位置で保持されても良い。また、上述した形態では、摺動規制体６は、ネジリコイルバネ２３によって付勢されているが、摺動規制体６は、引張りコイルバネ、板バネ等の他のバネ部材や弾性部材等の付勢部材によって付勢されても良い。
【符号の説明】
【００４０】
１  工具（電線敷設用工具）
２  架空線
３  回転体
３ａ  切欠き部
４  保持体
５  摺動体
６  摺動規制体
７  磁気保持機構
１０  平板部
１１  軸受部
１８  ロープ（紐状部材）
２５、２６  永久磁石
Ｃ  回転中心
Ｘ１  架空線の通過方向の下流側
Ｘ２  架空線の通過方向の上流側
【図１】
2013143834.tif 000003
【図２】
2013143834.tif 000004
【図３】
2013143834.tif 000005